(57)【要約】本発明は、好ましくはスポーツマン及び他の活動的な人による使用に適用され、着用者の股（５）で相互に接続されて一体化している後部及び前部（３，４）に接続しているウェスト部（２）を有する男性用ズボンに関する。前記前部（４）はその内側に、上部にあって内側に延びていると共にウェスト部（２）に関してその垂直方向の位置を調節することのできる自由端部（８）を有するポケット（７）が縫い付けられている。該自由端部は好ましくはウェスト部（２）から延びている調節部材（９）によって調節され、好ましくは、使用者の性器の位置を調節及び／又は着用者が行っているスポーツに応じて調節するためにウェスト部（２）から延びている調節手段（９）を用いて行われる。
2004522865.tif 000002
【特許請求の範囲】
【請求項１】
好ましくはスポーツマン及び他の活動的な人による使用に適用され、着用者の股（５）で相互に接続されて一体化している後部及び前部（３，４）に接続しているウェスト部（２）を有する男性用ズボンであって、前記前部（４）に、上部にあって内側に延びていると共にウェスト部（２）に関してその垂直方向の位置を調節することのできる自由端部（８）を有するポケット（７）が縫い付けられており、該自由端部は好ましくは使用者の性器の位置を身体に対して調節及び／又は使用者が行っているスポーツに応じて調節するためにウェスト部（２）に取り付けられた調節手段（９）を用いて行われ、該調節手段（９）は前記上部自由端部を持ち上げるように設けられており、これによって男性の性器全体、即ち、陰嚢と陰茎とが上方、前方、そしてウェスト部（２）に配置されているウェストバンド（１１）の方向に内側に位置調節され、性器を安全に固定すると共に性器の押し上げ効果を与えるように使用者に対して適切な位置にズボンを固定することを特徴とする男性用ズボン。
【請求項２】
前記調節手段（９）が弾性バンド（１０）で作られていることを特徴とする請求項１に記載のズボン。
【請求項３】
前記ポケット（７）がその底部で開口していることを特徴とする請求項１に記載のズボン。
【請求項４】
前記ポケット（７）の前部（１４）がズボン（１）の内側（６）の前部（４）によって作られていることを特徴とする請求項１に記載のズボン。
【請求項５】
前記ポケットの垂直位置を調節する調節手段（９）が、その自由端部（１５、１６）でバードック細片を用いて、ズボン（１）のウェスト部（２）の所定位置に固定することのできるバンドによって構成されていることを特徴とする請求項１に記載のズボン。
【請求項６】
前記ポケット（７）の側部（１２、１３）が、ズボン（１）の前部（４）の内側（６）に、前部（４）の大きな部分を占めて垂直方向に縫い付けられることを特徴とする請求項１に記載のズボン。
【請求項７】
ポケット（７）が空気及び／又は湿気を透過することのできる材料で製造されていることを特徴とする請求項１に記載のズボン。
【請求項８】
前記ポケット（７）が弾力性もある材料で製造されていることを特徴とする請求項７に記載のズボン。
【発明の詳細な説明】
【技術分野】
【０００１】
本発明は、好ましくはスポーツマンによる使用に適応させた男性用ズボンに関し、使用者の股の部分で相互に接合されているか一体化されている前部と後部とに接続されているウェスト部を有する。
【背景技術】
【０００２】
今日使用されている、男性用下着又はスポーツ用ズボンの形状をしており、市場で入手することのできるズボンは、多くの場合、湿気を通すことができるように穴を空けた裏張りのような形状の内側ズボンを有している。ある場合においては、この裏張りは、男性の性器、特に陰嚢を動支持するようにデザインされている。このような従来技術のズボン、特にスポーツ用のものに加えて、前記性器を支持し、及び／又はそれを所望の位置に保持するように、特別に成形された小さいズボン又はガードルもある。このような公知の設計品のデメリットは、別の衣服／製品の助けなしには、裏張りしたズボンによっては、性器の全てを適切な位置に保持することができないことである。また、上記別の製品等を、確実に位置決めをして使用するのは不便で時間がかかる。このような従来の解決法は、その機能が陰嚢を腹部の方に押し上げる陰嚢袋と称されるものに関する。この分野の解決を特に必要としているスポーツマンは、例えば、マラソンの選手及び短距離選手である。
【発明の開示】
【０００３】
したがって、本発明の目的は、前記問題を解決し、容易に製造することができ、追加的な衣服／製品を使用することなく性器全体を所定の位置に効果的に保持することのできる、新しいタイプの男性用ズボンを提供することである。本発明の特徴は、本明細書に続く請求項に記載されている。
【０００４】
本発明によって、優れた方法で目的を達成すると共に安価で便利な方法で製造することのできる新しいタイプの男性用ズボンが提供された。特に、活動的な人及びより本格的なスポーツマンのための、このようなズボンは、ズボンに縫い付けられたポケットによって性器全体を所定の位置に保持するという解決法を構成する。さらに、特別な調節機能を提供するようにポケットがズボンに縫い付けられているという事項によって、行っているスポーツのタイプ及び支持強度要件に関わらず、同じタイプのズボンを全てのスポーツマンが使用することができ、また、性器の大きさ及び位置に関して、その形状・配置に関係なく様々な人が使用するのが可能になる。ポケットの調節機能によって、例えば、マラソン選手はポケットの垂直方向の位置に影響する弾力部材を、100メートル走選手によって使用されるよりも低い圧力に調節することが可能になる。一般的に言って、ポケットにかける圧力は様々な活動に適するように調節することができる。ポケットは、男性性器への押し上げ効果を与えることもできる弾性材料を有している。その結果、本発明の本質的な特徴は、ポケットが身体／脚／腹部から間隔を空けて性器全体を保持するということである。このようにして、性器と身体の他の部分との間に隙間ができる。この隙間によって、冷却／温度制御（これによって、特に、高い生殖能力が与えられる）効果が得られ、また、皮膚を刺激から守ることができる。本発明によるこの型のズボンは、実際の身体の動きに応じて性器を身体から離す必要性が異なる、様々なスポーツマンに特に適している。従来技術によると、性器は凹形の面に接するが、本発明では、分離・温度制御効果を与える、性器の後ろの平らな支持面がある。
【０００５】
その結果、本発明によるポケットを備えたズボンは、安全に性器を固定することができ、これによって、動きの自由を制限することなくより高いパフォーマンスを行うことができ、快適さを創出することができ、また、ある方法においてはスポーツマンの動きを低減することができる。
【０００６】
図面を参照しながら、以下に本発明の好ましい態様を記載する。
【０００７】
図から見て取れるように、本発明の好ましい態様によるズボンは、前部及び後部３，４に接続されたウェスト部２を有する。前部と後部とは相互に合わさって、使用者の股５で接続される。ズボン１の前部４はその内側に縫い付けられたポケット７を有しており、ポケット７は上部自由端部８を有している。上部自由端部８は、ズボンが使用されているときには後方に位置し、使用者の脚の間にある陰嚢の付け根に押し付けられる。端部８の垂直位置はウェスト部２に関して調節することができる。この調節は、身体に接する性器の位置、及びズボンが使用されるスポーツのタイプに応じて調節手段９によって行われるのが好ましい。調節可能なポケット７の前部、より具体的には、自由端部８は、別の方法で表現すれば、性器と身体の他の部分／脚、腹部との間に空気の溝を形成するために身体から離す方向でズボン中に性器全体、即ち、陰嚢と陰茎との両方を持ち上げるように使用される。
【０００８】
例によると、調節手段９は弾力性のあるバンド１０によって構成されており、その助けを借りて自由端部８をウェスト部２にあるウェストバンド１１に向けて締めることができる。ウェストバンド１１はズボンを使用者に対して所望の位置に固定する。
【０００９】
示されている例によると、ポケットはその底部において狭くなっているが、当然のことながら、ポケット７は、逆に、底部で開放されていてもよい。塵芥や他の望ましくない粒子がポケットに集められるのを防ぐので、この底部が開放されている構造は好ましい態様である。図に示されているように、ポケット７の上部自由端部８は、カーブした線に沿ってズボンの内側に延び、調節部材９は端部８に配置されている。ポケット７の前部１４はズボンの前部４の内側によって構成されている。あるいは、ポケット７の前部１４を別の壁部によって構成することもでき、この場合、前部４の内側に袋が備えられることになる。袋又はポケット７は断熱材で作ることもでき、このようにするとズボンは冬季の使用に適したものになる。また、外側の摩擦係数が小さく、内側の摩擦係数が大きい材料でポケットを作ることもできる。ポケット７の垂直位置を制御する調節部材９は、上に記載したように、弾力性のあるバンド１０であると好ましい。ウェストバンドにおけるある種の鉤ホックによって、その自由端１５及び１６又はバードック細片バンド（burdock strip band）をウェスト部２の所定位置に固定することができる。示されている例によると、ポケット７の側部１２及び１３は、ポケット７の前部４の内側６に、前部４の大きな部分を占めて垂直方向に縫い付けられている。ポケット７は空気又は湿度を透過することのできる材料で好適に作ることもできる。特に、このズボンがスポーツマンによって使用される場合は、これは好ましい態様である。あるいは、ポケット７をやはり弾力性のある材料で構成することもでき、これによって、いわゆる「押し上げ」効果を得ることもできる。
【図面の簡単な説明】
【００１０】
【図１】図１は、本発明による、ポケットが縫い付けられた一対のズボンを示す斜視略図である。ポケットの内側は自由であり、上端部は垂直方向に調節することができる。
【図２】図２は、図１に示されたズボンの斜視略図の上面図である。
【図１】
2004522865.tif 000003
【図２】
2004522865.tif 000004
【国際公開パンフレット】
2004522865.tif 000005
2004522865.tif 000006
2004522865.tif 000007
2004522865.tif 000008
2004522865.tif 000009
2004522865.tif 000010
2004522865.tif 000011
2004522865.tif 000012
2004522865.tif 000013
【国際調査報告】
2004522865.tif 000014
2004522865.tif 000015